(57)【要約】【課題】充電ケーブルを挟持して送るローラを備えた充電ケーブルの巻取装置において、充電ケーブルが湾曲した状態のまま、巻き取り作業や引出し作業が行われる場合であっても、作業中の充電ケーブル２２の「あばれ」を抑制でき、何れか一方のローラに充電ケーブルが押し付けられて、過剰な負荷がかかる、といった現象を回避することができる技術を提供すること。【解決手段】充電ケーブル４挟持して送る一対のローラ１１、１２と、これらの一対のローラを充電ケーブルの収納方向、または送出方向に駆動する駆動手段１４、１５を備えた充電ケーブル巻取装置９において、前記ローラ１１、１２へ向けて充電ケーブル４を送り込む経路に、充電ケーブル４の動きを抑制する抑制機能を有するガイド孔１６、１７を形成したガイド部材１８、１９を配置した。【選択図】図４
2014239593.tif 000002
【特許請求の範囲】
【請求項１】
充電ケーブルを挟持して送る一対のローラと、これらの一対のローラを充電ケーブルの収納方向、または送出方向に駆動する駆動手段を備えた充電ケーブル巻取装置であって、
前記ローラへ向けて充電ケーブルを送り込む経路に、充電ケーブルの動きを抑制する抑制機能を有するガイド孔を形成したガイド部材を配置したことを特徴とする充電ケーブル巻取装置。
【請求項２】
前記ガイド孔が、前記充電ケーブルの直径よりも広い横幅を有するスリットであることを特徴とする請求項１記載の充電ケーブル巻取装置。
【請求項３】
前記ガイド孔のスリットは経路に沿った方向に形成したことを特徴とする請求項２記載の充電ケーブル巻取装置。
【請求項４】
前記ガイド部材を、前記経路上で、ローラを挟んで、前後２カ所に配置したことを特徴とする請求項２記載の充電ケーブル巻取装置。
【請求項５】
前記ガイド部材の配置箇所を変更し、充電ケーブルのガイド方向を変更自在とするガイド部材配置変更手段を備えることを特徴とする請求項１記載の充電ケーブル巻取装置。
【発明の詳細な説明】
【技術分野】
【０００１】
本発明は、車両への充電を行うために用いられる充電ケーブル巻取装置に関するものである。
【背景技術】
【０００２】
充電ケーブルの巻取技術に関し、特許文献１には、図６に示すように、ドラム２１を収容した充電ケーブル収納部２２の入側に、充電ケーブル２３を挟持して巻取り又は引出しする一対のローラ２４を備え、モータ駆動により、ローラ２４とドラム２１を同期して回転させながら、ドラム２１に充電ケーブル２３の巻取を行うこと、および、ローラ２４とドラム２１の回転方向を反転して、充電ケーブル２３の引出を行うことが開示されている。
【０００３】
ここで、数十ミリの径を有する充電ケーブル２３は、引き回しに伴う捻れ等に起因して、湾曲した状態となりやすく、この状態で充電ケーブル２３の巻取り又は引出し作業が行われると充電ケーブル２３の「あばれ」などの動きが生じる。しかし、特許文献１の技術では、充電ケーブルの動きを抑制する機能を備えていないため、充電ケーブル２３が湾曲した状態のまま、巻き取り作業や引出し作業が行われる可能性も高く、このような場合、作業中の充電ケーブル２３の「あばれ」が生じやすく、一方のローラ２４に充電ケーブル２３が押し付けられる形となり、充電ケーブルの抵抗により充電ケーブル２３の巻き取りができない場合や、充電ケーブル２３の被覆が破れる、場合によってはローラ２４が磨耗するといった問題があった。
【先行技術文献】
【特許文献】
【０００４】
【特許文献１】特開２００３−２４４８３２号公報
【発明の概要】
【発明が解決しようとする課題】
【０００５】
本発明の目的は前記問題を解決し、充電ケーブルを挟持して巻取り又は引出しするローラを備えた充電ケーブルの巻取装置において、充電ケーブルが湾曲した状態のまま、巻取り作業や引出し作業が行われる場合であっても、作業中の充電ケーブルの「あばれ」などの動きを抑制でき、何れか一方のローラに充電ケーブルが押し付けられて、充電ケーブルの抵抗により、充電ケーブルの巻取りができない、充電ケーブルの被覆が損傷する、または、ローラが磨耗するといった現象を回避することができる技術を提供することである。
【課題を解決するための手段】
【０００６】
上記課題を解決するためになされた本発明の充電ケーブル巻取装置は、充電ケーブルを挟持して送る一対のローラと、これらの一対のローラを充電ケーブルの収納方向、または送出方向に駆動する駆動手段を備えた充電ケーブル巻取装置であって、前記ローラへ向けて充電ケーブルを送り込む経路に、充電ケーブルの動きを抑制する抑制機能を有するガイド孔を形成したガイド部材を配置したことを特徴とするものである。
【０００７】
請求項２記載の発明は、請求項１記載の充電ケーブル巻取装置において、前記ガイド孔が、前記充電ケーブルの直径よりも広い横幅を有するスリットであることを特徴とするものである。
【０００８】
請求項３記載の発明は、請求項２記載の充電ケーブル巻取装置において、前記ガイド孔のスリットは経路に沿った方向に形成したことを特徴とするものである。
【０００９】
請求項４記載の発明は、請求項２記載の充電ケーブル巻取装置において、前記ガイド部材を、前記経路上で、ローラを挟んで、前後２カ所に配置したことを特徴とするものである。
【００１０】
請求項５記載の発明は、請求項１記載の充電ケーブル巻取装置において、前記ガイド部材の配置箇所を変更し、充電ケーブルのガイド方向を変更自在とするガイド部材配置変更手段を備えることを特徴とするものである。
【発明の効果】
【００１１】
充電ケーブルを挟持して送る一対のローラと、これらの一対のローラを充電ケーブルの収納方向、または送出方向に駆動する駆動手段を備えた充電ケーブル巻取装置において、前記ローラへ向けて充電ケーブルを送り込む経路に、充電ケーブルの動きを抑制する抑制機能を有するガイド孔を形成したガイド部材を配置した本発明によれば、充電ケーブル湾曲した状態のまま、巻き取り作業や引出し作業が行われる場合であっても、ローラに挟み込まれる前段で充電ケーブルの動きを抑制することができ、作業中の充電ケーブルに「あばれ」が生じて、何れか一方のローラに充電ケーブルが押し付けられ、ローラが摩耗したり、あるいは、充電ケーブルの被覆が破れたりするといった現象を回避することができる。
【００１２】
請求項２記載の発明のように、前記ガイド孔を、前記充電ケーブルの直径よりも広い横幅を有するスリットとして構成とすること、請求項３記載の発明のように前記ガイド孔のスリットは経路に沿った方向に形成した構成とすることにより、充電ケーブルが左右に振れるときスリット内で移動させながら充電ケーブルを巻取り又は引出しを行うので充電ケーブルの抵抗を軽減することが可能で、更に、充電ケーブルの抵抗を減ることで前記ガイド孔のスリットに掛かる荷重が軽減し磨耗が起こりにくくすることができる。
【００１３】
請求項４記載の発明のように、前記ガイド部材を、前記経路上で、ローラを挟んで、前後２カ所に配置することにより、ローラを充電ケーブル収納方向に駆動する際も、充電ケーブル送出方向に駆動する際も、何れも、充電ケーブルがローラに挟み込まれる前段で充電ケーブルの動きを抑制することができる
【００１４】
請求項５記載の発明のように、前記ガイド部材の配置箇所を変更し、充電ケーブルのガイド方向を変更自在とするガイド部材配置変更手段を備える構成とすることにより、使用者の都合に応じて、充電ケーブルの送り出し方向を自在に変更することができ、作業性の向上を図ることができる。
【図面の簡単な説明】
【００１５】
【図１】本実施形態の自動巻取装置を備えた充電装置の全体図である。
【図２】図１から、自動巻取装置のカバーとケーブル収納部のカバーを省略した背面側射視図である。
【図３】充電ケーブル自動巻取装置を前面下方から見た斜視図である。
【図４】充電ケーブル自動巻取装置を背面上方から見た斜視図である。
【図５】充電ケーブル自動巻取装置の下面図である。
【図６】従来技術の説明図である。
【発明を実施するための形態】
【００１６】
以下に本発明の好ましい実施形態を示す。
【００１７】
図１において、１は充電装置であり、ポールで外枠を形成したスタンド２に、取り付け板を介して取り付けられている。取り付け板の背面側は、配線カバー１０で被覆されている。
【００１８】
図１、図２に示すように、充電装置１の背面側下方には、充電装置１から引き出された充電ケーブル４の余長部５が収納される充電ケーブル収納部６が形成され、充電装置１の前面下方には、充電ケーブル４の先端に備えた充電コネクタ７を、不使用時に保持しておく充電コネクタ保持部８が形成されている。更に、充電ケーブル収納部６の上方かつ、充電コネクタ保持部８の下方の空間には、充電ケーブル自動巻取装置９が配置されている。充電ケーブル自動巻取装置９は、粉塵の巻き込み及び侵入を防止するため、カバー部材３で覆われている。なお、充電装置を、スタンド不要の自立型のものとし、充電装置の筐体内部に、充電ケーブル収納部６や充電ケーブル自動巻取装置９を配置することもできる。
【００１９】
充電装置１には、車両の充電開始や受電電流を制御するＣＰＬＴ回路を内蔵した充電制御部や、リレーの他、充電操作の遠隔操作や、充電状態の外部表示のために外部機器との間で信号の入力・出力を行う通信機器、漏電保護装置等の充電機器が搭載されている。その他、充電スタートボタン、エラー解除ボタンなどの操作部や、ＬＥＤ等の表示部の他、充電ケーブル自動巻取装置９の駆動モータ１４、１５の操作を行う操作ボタンが形成されている。なお、充電ケーブル自動巻取装置９の操作ボタンは、充電ケーブル自動巻取装置９自体に形成したものであっても良いし、遠隔地から操作するようなものであっても良い。なお、操作ボタンの操作により、充電ケーブル４を充電ケーブル収納部６内に巻き取って収納したり、充電ケーブル４を充電ケーブル収納部６内から送り出すことができる。
【００２０】
なお、本実施形態においては自動で巻取り又は引出しを行う巻取装置について説明するものであるが、手動で巻取りを行う巻取装置として使用するものであっても良いものである。
【００２１】
充電ケーブル自動巻取装置９は、図３に示すように、一対のローラ１１、１２を回転駆動させながら、充電ケーブル４を巻き取って充電ケーブル収納部６に収納したり、充電ケーブル収納部６から送り出したりするものであり、これらのローラ１１、１２は、充電ケーブル４の断面形状に対応した溝部１３を備え、充電ケーブル４を左右から挟持して送ることができる位置に配置されている。
【００２２】
これらのローラ１１、１２の上部には、ローラ駆動用の駆動モータ１４、１５が各々個別に配置されている。駆動モータ１４、１５の駆動方向は変更可能であり、駆動方向の変更により、充電ケーブル４の巻き取りおよび送り出し作業の何れかを適宜選択して行うことができる。なお、一つの駆動モータを両ローラ１１、１２に共通の駆動手段として使用し、歯車や伝達ローラを多数用いながら駆動を行うことも可能である。
【００２３】
図３、図４に示すように、ローラ１１、１２へ充電ケーブル４を送り込む経路には、充電ケーブル４の「あばれ」などの動きを抑制する抑制機能を有するガイド孔１６、１７を形成したガイド部材１８、１９が、ローラ１１、１２を挟んで、前後２カ所に配置されている。
【００２４】
このように、ローラ１１、１２へ充電ケーブル４を送り込む経路に、充電ケーブル４の抑制機能を有するガイド孔１６、１７を形成したガイド部材１８、１９を配置することにより、充電ケーブル４に捻れが生じていた場合であっても、ローラ１１、１２に挟み込まれる前段で動きを抑制することができ、充電ケーブル４が捻れた状態のままローラ１１、１２に挟み込まれ、何れか一方のローラ１１、１２に充電ケーブル４が押し付けられて、ローラ１１、１２が摩耗したり、あるいは、充電ケーブル４の被覆が破れたり、充電ケーブル４の巻取り又は引出しができないといった現象を回避することができる。また、ガイド部材１８、１９を、前記経路上で、ローラ１１、１２を挟んで、前後２カ所に配置することにより、ローラ１１、１２を充電ケーブル収納方向に駆動する際も、充電ケーブル送出方向に駆動する際も、何れも、充電ケーブル４がローラ１１、１２に挟み込まれる前段階で動きを抑制することができる。
【００２５】
本実施形態では、ガイド孔１６，１７を、前記充電ケーブルの直径よりも僅かに広い横幅を有するスリットとして形成し、更に、経路に沿った方向に形成したことにより、充電ケーブル４をスリット内で移動させながら巻取り又は引出しを行うことができる構造としている。
【００２６】
なお、ガイド孔１６，１７を、充電ケーブルの径と略同一形状の丸孔形状とした場合、充電ケーブル４を引き回しに伴う捻れ等に起因して、湾曲した状態で巻取り又は、引出しする際や、ローラ１１、１２の駆動方向や駆動速度によって、充電ケーブル４にかかる張力が変動する際に丸孔の端部に充電ケーブル４が当接し、充電ケーブル４の被覆の損傷、丸孔の損傷の要因となる恐れがあるが、本実施形態のように、ガイド孔１６，１７を、スリット形状としておくことにより、充電ケーブル４がガイド孔１６，１７の経路に沿って振れるときはスリット内で移動して巻取り又は引出しを行うことは勿論、充電ケーブル４がガイド孔１６，１７の左右に振れるときでもスリット内で移動させながら巻取り又は引出しを行うので充電ケーブル４の抵抗を軽減することができ、充電ケーブル４の被覆が破れを防止したり、充電ケーブル４の巻取り又は引出しができないと言った問題や、更に、充電ケーブル４の抵抗が軽減することにより、ガイド孔１６，１７に掛かる荷重も軽減し磨耗が起こりにくくすることができる。
【００２７】
ローラ１１、１２とガイド部材１８、１９との間には、ケーブルガイド２０が配置されている。ケーブルガイド２０は、ローラ１１、１２で動きを抑制されて送り出されてきた充電ケーブル４に、再度捻じれを生じることなく、かつ、負荷の小さい経路で、ガイド孔１６、１７に導く機能を有する。本実施形態では、ローラ１１、１２から水平方向に送り出された充電ケーブル４の方向を、緩やかなカーブを描きながら垂直下向き方向に変更し、水平配置されたガイド部材１８、１９に形成されたスリット状のガイド孔１６、１７に、上方から挿入させる機能を有している。
【００２８】
本実施形態では、ガイド部材１８、１９を水平配置し、水平配置されたガイド部材１８、１９に形成されたスリット状のガイド孔１６、１７に、充電ケーブル４を、上方から挿入し、下方から引き出す構造とすることにより、出線方向を垂直下向きとしている。車両の充電時には、充電装置１の手前に、車両を移動させ、出線ローラ１１、１２の駆動方向を、充電ケーブル４が充電ケーブル収納部６から送り出される方向として使用するため、充電ケーブル４が水平方向に勢いよく出線されると、車両にぶつかる恐れがあるため、出線方向は、本実施形態のように、垂直下向きとすることが好ましい。
【００２９】
また、充電ケーブル４の先端に備えた充電コネクタ７を手に取って車両の充電口まで引っ張る等の動作を行った際の余裕を持たせるために、図５に示すように、ガイド部材１８、１９の内、ローラを充電ケーブル送出方向に駆動する際、前記経路上で、ローラの後段に配置されたもの１９に形成したスリット１７を、より長めに形成し、スリット内での充電ケーブルの可動距離を十分に確保しておくことが好ましい。
【００３０】
なお、充電ケーブル４出線方向は、充電装置の設置箇所や使用状況に応じて、変更自在とすることが好ましい。本実施形態では、充電ケーブルのガイド方向を変更自在とするガイド部材配置変更手段として、ガイド部材１８、１９の取付け構造に、複数のネジ孔から選択可能なネジ止め構造を採用している。
【符号の説明】
【００３１】
１  充電装置
２  スタンド
３  カバー部材
４  充電ケーブル
５  余長部
６  充電ケーブル収納部
７  充電コネクタ
８  充電コネクタ保持部
９  充電ケーブル自動巻取装置
１０  配線カバー
１１、１２  ローラ
１３  溝部
１４、１５  駆動モータ
１６、１７  ガイド孔
１８、１９  ガイド部材
２０  ケーブルガイド
２１  ドラム
２２  充電ケーブル収納部
２３  充電ケーブル
２４  ローラ
【図１】
2014239593.tif 000003
【図２】
2014239593.tif 000004
【図３】
2014239593.tif 000005
【図４】
2014239593.tif 000006
【図５】
2014239593.tif 000007
【図６】
2014239593.tif 000008